(57)【要約】  【課題】本発明は、記憶装置を備えた装置が災害に遭った際に、該記憶装置を保護することが可能な記憶装置の保護装置を提供することを目的とする。  【解決手段】本実施形態の複写機１は、ＨＤＤ１１３が収容された記憶装置保護箱２３が、通常時には、バネ２３ｄの弾性力に反してストッパ１２ｆにより蓋２３ｂが開口されており、災害時には、モータあるいは手動操作から伝達された回転駆動力より、ローラ１２ｃおよびストッパ１２ｆが回転して、ローラ１２ｃに固定された信号ケーブル１１３ａと電源ケーブル１１３ｂがＨＤＤ１１３から抜き取られ、ストッパ１２ｆによる蓋２３ｂの支持が解除されて、バネ２３ｄの弾性力により蓋２３が強固に閉まって記憶装置保護箱２３が密閉される構成とされている。【選択図】      図３
2007004945.tif 000002
【特許請求の範囲】
【請求項１】
データの送受信に必要な単数あるいは複数の接続線と電気的に接続された記憶装置を保護するための記憶装置の保護装置であって、
所定の情報の入力を受け付ける操作手段と、前記操作手段が前記所定の情報を受け付けると、所定の駆動信号を出力する巻取制御手段と、前記所定の駆動信号に基づいて、駆動して所定の駆動力を伝達する自動駆動手段と、前記自動駆動手段あるいは手動操作から伝達された所定の駆動力を伝達する伝達手段と、前記記憶装置が収容され、少なくとも１つの開閉自在な蓋および該蓋を閉結して密閉する閉結手段を備えた記憶装置保護箱と、前記蓋に当接して前記蓋を開放状態に支持し、前記伝達手段により駆動されて該蓋の支持を解除する支持手段と、前記単数あるいは複数の接続線が固定され、前記伝達手段により駆動されて前記単数あるいは複数の接続線と前記記憶装置との電気的な接続を分離させる巻取手段と、を有して成ることを特徴とする記憶装置の保護装置。
【請求項２】
水を検知した際に、前記巻取制御手段に水検知信号を入力する水センサ、所定の温度よりも高い温度を検知した際に、前記巻取制御手段に温度検知信号を入力する温度センサ、および所定の振動値よりも大きな振動値を検知した際に、前記巻取制御手段に地震検知信号を入力する地震センサのうち少なくとも１つを有し、
前記巻取制御手段は、前記水検知信号、高温検知信号および地震検知信号のうちいずれかが入力されると、前記所定の駆動信号を出力することを特徴とする請求項１に記載の記憶装置の保護装置。
【請求項３】
前記記憶装置保護箱は、耐水性、耐火性および耐衝撃性のうち少なくとも１つの性質を有した部材から成ることを特徴とする請求項１または請求項２に記載の記憶装置の保護装置。
【発明の詳細な説明】
【技術分野】
【０００１】
本発明は、ハードディスクドライブ、不揮発性メモリ等の記憶装置が、火災や水害等の災害に遭っても記憶データを失わないように保護する記憶装置の保護装置に関するものである。
【背景技術】
【０００２】
データの読み書き・記憶を行うハードディスクドライブ（以下、ＨＤＤ[Hard Disk Drive]と呼ぶ）等の記憶装置を備えた装置が火災や水害等の災害に遭った場合には、その装置から記憶装置が取り出されたり、装置本体ごと運び出されたりして記憶装置に記憶されたデータの保護が行われている。
【０００３】
また、災害時におけるデータの保護に関する特許文献として、遠隔地にある別の装置のデータ格納領域にデータを常時バックアップしてデータを災害から保護することが可能な情報処理システムにおけるバックアップ方法が開示・提案されている（例えば、特許文献１を参照）。また、参考として、データが記憶されるＣＤ[Compact Disc]等のデータ記憶媒体を火災から保護することが可能なデータ記憶装置の収納・保護方法および装置が開示・提案されている（例えば、特許文献２を参照）。
【特許文献１】特開平７−１４１３０８号公報
【特許文献２】特開２０００−１２８２６８号公報
【発明の開示】
【発明が解決しようとする課題】
【０００４】
確かに、従来の記憶装置を備えた装置であれば、災害時に、装置から記憶装置を取り出して避難あるいは装置本体ごと運んで避難することで、記憶装置並びに記憶装置に記憶されたデータを保護することが可能である。
【０００５】
また、特許文献１に開示された情報処理システムにおけるバックアップ方法であれば、遠隔地の別の装置にデータが常時バックアップされているため、本体装置が災害に遭ってもデータを保護することが可能である。
【０００６】
しかしながら、記憶装置を備えた装置が複写機や大型コンピュータ等の場合には、記憶装置が取り出し難く、更に装置本体が大きく重いため、災害時に記憶装置を保護することが困難であった。また、災害時にこのような作業を行っていると、ユーザの避難が遅くなりユーザ自身が被災してしまう可能性もあり危険である。
【０００７】
また、特許文献１に開示された情報処理システムにおけるバックアップ方法は、データのバックアップを行うための別の装置が新たに必要になってしまう。
【０００８】
本発明は、上記の問題点に鑑み、記憶装置を備えた装置が災害に遭った際に、該記憶装置を保護することが可能な記憶装置の保護装置を提供することを目的とする。
【課題を解決するための手段】
【０００９】
上記目的を達成するために、本発明に係る記憶装置の保護装置は、データの送受信に必要な単数あるいは複数の接続線と電気的に接続された記憶装置を保護するための記憶装置の保護装置であって、所定の情報の入力を受け付ける操作手段と、前記操作手段が前記所定の情報を受け付けると、所定の駆動信号を出力する巻取制御手段と、前記所定の駆動信号に基づいて、駆動して所定の駆動力を伝達する自動駆動手段と、前記自動駆動手段あるいは手動操作から伝達された所定の駆動力を伝達する伝達手段と、前記記憶装置が収容され、少なくとも１つの開閉自在な蓋および該蓋を閉結して密閉する閉結手段を備えた記憶装置保護箱と、前記蓋に当接して前記蓋を開放状態に支持し、前記伝達手段により駆動されて該蓋の支持を解除する支持手段と、前記単数あるいは複数の接続線が固定され、前記伝達手段により駆動されて前記単数あるいは複数の接続線と前記記憶装置との電気的な接続を分離させる巻取手段と、を有して成る構成とされている。このような構成とすることにより、災害時に記憶装置を保護することが可能になる。
【００１０】
上記構成から成る記憶装置の保護装置は、水を検知した際に、前記巻取制御手段に水検知信号を入力する水センサ、所定の温度よりも高い温度を検知した際に、前記巻取制御手段に温度検知信号を入力する温度センサ、および所定の振動値よりも大きな振動値を検知した際に、前記巻取制御手段に地震検知信号を入力する地震センサのうち少なくとも１つを有して成り、前記巻取制御手段は、前記水検知信号、高温検知信号および地震検知信号のうちいずれかが入力されると、前記所定の駆動信号を出力する構成とされている。このような構成とすることにより、災害時に記憶装置を自動的に保護することが可能になる。
【００１１】
上記構成から成る記憶装置の保護装置における前記記憶装置保護箱は、耐水性、耐火性および耐衝撃性のうち少なくとも１つの性質を有した部材から成る構成とされている。このような構成とすることにより、記憶装置を水害、火災および震災から確実に保護することが可能となる。
【発明の効果】
【００１２】
上記したように、本発明に係る記憶装置の保護装置であれば、記憶装置を備えた装置が災害に遭った際に、該記憶装置を災害から保護することが可能となる。
【発明を実施するための最良の形態】
【００１３】
本発明について本発明に係る記憶装置の保護装置を備えた複写機を例に挙げて説明を行う。図１は本発明に係る複写機の要部構成を示すブロック図であり、図２は本発明に係る複写機の要部構造を模式的に示す縦断面図である。なお、本実施形態では、複写機に備えられた本発明に係る記憶装置の保護装置により、災害時に記憶装置であるＨＤＤが保護される場合を例に挙げて説明を行う。
【００１４】
両図に示すように、本実施形態の複写機１は、中央演算処理装置からなり、装置全体の動作を制御する制御部１０と、各種制御プログラムや各種データ等が格納され、ワーク領域としても用いられる記憶部１１と、後述のように通常時にはＨＤＤ１１３が収容された記憶装置保護箱２３の蓋に当接して蓋を開放状態に支持し、災害時にはその蓋の支持を解除するとともに、ＨＤＤ１１３に接続された接続線であるケーブルを抜き取って電気的な接続を分離させる接続線巻取部１２と、後述の巻取制御部１０２から受信した所定の駆動信号に基づいて駆動し、その駆動力を接続線巻取部１２に伝達するモータ１３と、情報の入力を受け付ける操作手段（保護キー、テンキー、タッチパネルなど）と画像の表示を行う表示手段（液晶ディスプレイなど）から成る操作表示部１５と、水、所定の温度より高い温度および所定の振動値より大きな振動値のうちいずれかを検知した際に、それぞれに対応した検知信号を後述の巻取制御部１０２に入力する検知部１４と、原稿を自動搬送する原稿搬送部１６と、原稿搬送部１６から搬送された原稿を取り込んで画像データを生成する原稿取込部１７と、画像データに基づいて用紙への画像出力を行う画像形成部１９（プリンタヘッドや感光ドラムから成るプリント部１９１を含む）と、画像形成部１９に給紙を行う給紙部１８と、画像形成部１９で得られた画像出力を用紙に定着させる定着部２０と、定着部２０による画像出力の定着が完了した用紙の排紙先となる排紙部２１と、外部から供給された電力を装置各部に供給する電源部２２と、を有して成る。なお、モータ１３には、後述の第３ギア１２ｉに回転駆動力を伝達するためのギア（不図示）等が備えられている。
【００１５】
制御部１０は、後述のようにＨＤＤ１１３と信号ケーブルで接続され、ＨＤＤ１１３へのデータの書き込みやＨＤＤ１１３からのデータの読み出しの制御を行うＨＤＤ制御部１０１と、図２に示す操作表示部１５の保護キー１５１の押下や検知部１４からの検知信号が入力されると、モータ１３の駆動を開始させる駆動信号を出力する巻取制御部１０２と、を有して成る。
【００１６】
記憶部１１は、各種制御プログラムが格納されたＲＯＭ［Read Only Memory］１１１と、ワーク領域として主に用いられるＲＡＭ［Random Access Memory］１１２と、各種データの保存先となり、後述するように災害時においてデータの消失を防ぐために保護される記憶装置のＨＤＤ１１３と、を有して成る。
【００１７】
検知部１４は、図１および図２に示すように、複写機１の装置本体１００の地面側に備えられ、水を検知した際に巻取制御部１０２にその検知信号の水検知信号を入力する水センサ１４１と、装置本体１００に備えられ、予め設定された所定の温度よりも高い温度を検知した際に巻取制御部１０２にその検知信号の高温検知信号を入力する温度センサ１４２と、装置本体に備えられ、予め設定された所定の振動値よりも大きな振動値を検知した際に巻取制御部１０２にその検知信号の地震検知信号を入力する地震センサ１４３と、を有して成る。
【００１８】
操作表示部１５は、ユーザにより押下された際に、後述するＨＤＤ１１３の保護の実行を受け付ける保護キー１５１を有して成る。
【００１９】
給紙部１８は、画像形成部１９への給紙元となる複数段（本実施形態では３段）の用紙収納部１８１ａ〜１８１ｃと、各用紙収納部１８１ａ〜１８１ｃから画像形成部１９への共通した用紙搬送経路となる用紙搬送部１８２と、を有して成る。
【００２０】
次に、本実施形態の複写機１における接続線巻取部１２および記憶装置保護箱２３について図を参照して以下に説明する。図３（ａ）は、接続線巻取部１２および記憶装置保護箱２３を模式的に示す上面図である。図３（ｂ）は、図３（ａ）の接続線巻取部１２および記憶装置保護箱２３をＸ側から見た場合の側面図である。
【００２１】
接続線巻取部１２は、図３（ａ）および図３（ｂ）に示すように、装置本体に固着された側板２４ａ、２４ｂに、その両端が回転自在に固定された第１回転軸１２ａと、第１回転軸１２ａの一方の端部近傍（側板２４ｂ近傍）に、第１回転軸１２ａの軸外周に中心部分が固着された第１ギア１２ｂと、第１ギア１２ｂと第１回転軸１２ａのもう一端側（側板２４ａ側）との間に、第１回転軸１２ａの軸外周を覆って固着されたローラ１２ｃと、ＨＤＤ１１３に接続された接続線である信号ケーブル１１３ａおよび電源ケーブル１１３ｂをローラ１２ｃとの間に挟んで、２つのネジ１２ｅでローラ１２ｃに固定されたケーブル固定板１２ｄと、ローラ１２ｃから第１回転軸１２ａのもう一端側（側板２４ａ側）との間に、その一端が第１回転軸１２ａの軸外周を覆って固着され、もう一端が通常時には、記憶装置保護箱２３の蓋２３ｂに当接して蓋２３ｂを開放状態に支持するストッパ１２ｆと、第１ギア１２ｂと噛み合う第２ギア１２ｇと、側板２４ｂの開口部２４ｃに通され、その一端側に第２ギア１２ｇの中心部分が軸外周に固着された第２回転軸１２ｈと、第２回転軸１２ｈのもう一端側に、モータ１３あるいはユーザの手動操作から伝達された回転駆動力が加えられる第３ギア１２ｉと、を有して成る。
【００２２】
なお、災害時には、後述のようにモータ１３あるいは手動操作から伝達された回転駆動力が、第３ギア１２ｉに第２回転軸１２ｈが実線矢印Ａ方向に回転するように回転駆動力が伝達される。更にその回転駆動力が、第２回転軸１２ｈ、第１ギア１２ｂおよび第１回転軸１２ａを介して、ローラ１２ｃおよびストッパ１２ｆに伝達される。そして、ローラ１２ｃおよびストッパ１２ｆは矢印Ｂ方向に回転駆動する。このとき、ローラ１２ｃは、ケーブル固定板１２ｄにより固定された信号ケーブル１１３ａおよび電源ケーブル１１３ｂをＨＤＤ１１３から抜き取り、ストッパ１２ｆは、蓋２３ｂの支持を解除する。
【００２３】
なお、本実施形態において、ギア（不図示）が備えられたモータ１３は、巻取制御部１０２からの所定の駆動信号に基づいて、駆動して所定の駆動力を伝達する自動駆動手段に相当する。第３ギア１２ｉ、第２回転軸１２ｈ、第２ギア１２ｇ、第１ギア１２ｂおよび第１回転軸１２ａは、自動駆動手段あるいは手動操作から伝達された所定の駆動力を伝達する伝達手段に相当する。ストッパ１２ｆは、記憶装置保護箱２３の蓋２３ｂに当接して蓋２３ｂを開放状態に支持し、伝達手段により駆動されて蓋２３ｂの支持を解除する支持手段に相当する。ケーブル固定板１２ｄにより信号ケーブル１１３ａおよび電源ケーブル１１３ｂが固定されたローラ１２ｃは、伝達手段により駆動されて接続線（各ケーブル１１３ａ、１１３ｂに相当）とＨＤＤ１１３との電気的な接続を分離させる巻取手段に相当する。
【００２４】
記憶装置保護箱２３は、図３（ａ）および図３（ｂ）に示すように、蝶番２３ｃの一端が記憶装置保護箱２３の本体２３ａの上部外面に固着され、その閉結状態において本体２３ａの上部外面と同一面となる部分に蝶番２３ｃのもう一端が、その外面に固着されて開閉自在な蓋２３ｂと、蝶番２３ｃが固着された本体２３ａの外面と異なる外面にバネ２３ｄの一端を固定するための固定部２３ｅと、蓋２３ｂの閉結状態において、固定部２３ｅの備えられている外面と同一面となる蓋２３ｂの外面に備えられ、バネ２３ｄのもう一端を固定するための固定部２３ｆと、固定部２３ｅ、２３ｆに各端部が固定されたバネ２３ｄと、を有して成る。
【００２５】
また、図３（ａ）および図３（ｂ）に示すように、記憶装置保護箱２３には、ＨＤＤ１３３の信号コネクタ１１３ｃおよび電源コネクタ１１３ｄ側が蓋２３ｂ側に向けて配置されている。バネ２３ｄが、固定部２３ｅ、２３ｆに取り付けられているため、バネ２３ｄの弾性力が、記憶装置保護箱２３の蓋２３ｂが閉まる方向（矢印Ｃ方向）に常に加えられている。
【００２６】
通常時、図３（ａ）および図３（ｂ）に示すように、バネ２３ｄの弾性力がその閉結方向に働いている記憶装置保護箱２３の蓋２３ｂは、ストッパ１２ｆによりバネ２３ｄの閉結方向への弾性力に反して支持されて開口されている。ＨＤＤ１３３の信号コネクタ１１３ｃおよび電源コネクタ１１３ｄには、それぞれ信号ケーブル１１３ａおよび電源ケーブル１１３ｂが接続されている。
【００２７】
また、通常時、信号ケーブル１１３ａおよび電源ケーブル１１３ｂのもう一端は、それぞれＨＤＤ制御部１０１および電源部２２に接続されている。信号ケーブル１１３ａを介してＨＤＤ制御部１０１とＨＤＤ１１３との間でデータの書き込みおよび読み出し（すなわち、データの送受信）が行われる。また、電源部２２から電源ケーブル１１３ｂを介してＨＤＤ１１３に電力が供給される。すなわち、信号ケーブル１１３ａおよび電源ケーブル１１３ｂは、データの送受信に必要な接続線であり、ＨＤＤ１１３と電気的に接続されている。
【００２８】
また、記憶装置保護箱２３（バネ２３ｄを含む）は、耐水性、耐火性および耐衝撃性の少なくとも１つの性質を有した部材から形成されている。記憶装置保護箱２３は、バネ２３ｄの弾性力によって蓋２３ｂが閉結された状態では、蓋２３ｂと本体２３ａの間から熱や水の進入を防ぐために、ガスケット（不図示）等により密閉状態になる構成とされている。また、記憶装置保護箱２３の本体２３ａおよび蓋２３ｂを構成する部材は、最外周から順に、火災時に溶けて隙間を塞ぎ、かつ、剛性の強いポリマー（不図示）、断熱材（例えば、断熱材サーバイバキャスト）（不図示）、該ポリマー（不図示）の３層構造からなる。記憶装置保護箱２３は、このような構成であるため、記憶装置保護箱２３の蓋２３ｂの閉結状態では、その内部の収容物（本実施形態では、ＨＤＤ１１３）を水害時の水、火災時の高熱および地震時の衝撃から保護することが可能である。なお、記憶装置保護箱２３の本体２３ａおよび蓋２３ｂを構成する部材は、これらに限定されるものではなく、その内部の収容物を水害時の水、火災時の高熱および地震時の衝撃から保護することが可能な部材から構成されていればよい。
【００２９】
次に、上記構成から成る複写機１における原稿複写動作について説明する。複写機１における原稿複写動作では、まず原稿搬送部１６から原稿取込部１７に原稿が搬送され、原稿取込部１６による該原稿の取込み（画像データの生成）が行われる。生成された画像データは、一旦記憶部１１に格納された後、再び読み出されて画像形成部１９に送出される。その後、画像形成部１９では、入力された画像データに基づく用紙への画像形成処理が行われる。そして、画像形成処理の完了した用紙が定着部２０で、加熱および加圧されて画像が用紙に定着された後、排紙部２１に原稿画像の複写が完了した用紙が排紙される。
【００３０】
また、本実施形態の複写機１は、原稿取込部１７で取り込んで生成された原稿の画像データをＨＤＤ１１３に記憶して、後から操作表示部１５からＨＤＤ１１３に記憶された画像データを選択して、印刷することが可能である。
【００３１】
なお、上記構成から成る本実施形態の記憶装置の保護装置を備えた複写機１は、災害に遭った際に、ＨＤＤ１１３（記憶装置に相当）を記憶装置保護箱２３で密閉してＨＤＤ１１３を保護することに特徴を有している。
【００３２】
そこで、以下では、本実施形態の記憶装置の保護装置を備えた複写機１が災害に遭った際に、ＨＤＤ１１３を記憶装置保護箱２３に密閉する制御について図１〜図４を参照して詳細な説明を行う。図４は、複写機１におけるＨＤＤを記憶装置保護箱に密閉する制御の一例を説明するためのフローチャートである。
【００３３】
本実施形態の複写機１では、ステップＳ４−１で、巻取制御部１０２により、水センサ１４１から水検知信号が入力されていないと判定される場合には（Ｓ４−１ＮＯ）、ステップＳ４−２に進み、巻取制御部１０２により、温度センサ１４２から高温検知信号が入力されていないと判定される場合には（Ｓ４−２ＮＯ）、更にステップＳ４−３に進む。
【００３４】
続いて、ステップＳ４−３で、巻取制御部１０２により、地震センサ１４３から地震検知信号が入力されていないと判定される場合には（Ｓ４−３ＮＯ）、ステップＳ４−４に進み、巻取制御部１０２により、操作表示部１５の保護キー１５１の押下による信号が入力されていないと判定される場合には（Ｓ４−４ＮＯ）、ステップＳ４−１に戻る。
【００３５】
また、ステップＳ４−１で、巻取制御部１０２により、水センサ１４１から水検知信号が入力されたと判定される場合（Ｓ４−１ＹＥＳ）、ステップＳ４−２で、巻取制御部１０２により、温度センサ１４２から高温検知信号が入力されたと判定される場合（Ｓ４−２ＹＥＳ）、ステップＳ４−３で、巻取制御部１０２により、地震センサ１４３から地震検知信号が入力されたと判定される場合（Ｓ４−３ＹＥＳ）、およびステップＳ４−４で、巻取制御部１０２により、操作表示部１５の保護キー１５１の押下による信号が入力されたと判定される場合には（Ｓ４−４ＹＥＳ）、ステップＳ４−５に進む。
【００３６】
続いて、ステップＳ４−５で、巻取制御部１０２からモータ１３を回転駆動させるための駆動信号が入力されて、モータ１３が回転駆動を開始する。
【００３７】
続いて、ステップＳ４−６で、モータ１３の回転駆動力が、ギア（不図示）等を介して第３ギア１２ｉに伝達され、第３ギア１２ｉとともに、第３ギア１２ｉに固着した第２回転軸１２ｈおよび第２回転軸１２ｈに固着した第２ギア１２ｈが矢印Ａ方向に回転する。そして、第２ギア１２ｈの回転駆動力が、第２ギア１２ｈと噛み合わされている第１ギア１２ｂに伝達される。その第１ギア１２ｂに伝達された回転駆動力によって、第１ギア１２ｂとともに、第１ギア１２ｂと固着した第１回転軸１２ａ、第１回転軸１２ａに固着したストッパ１２ｆ、および第１回転軸１２ａと固着し、信号ケーブル１１３ａと電源ケーブル１１３ｂがケーブル固定板１２ｄにより固定されたローラ１２ｃが、矢印Ｂ方向に回転する。
【００３８】
このとき、ケーブル固定板１２ｄによりローラ１２ｃに固定された信号ケーブル１１３ａと電源ケーブル１１３ｂが、矢印Ｂ方向に回転するローラ１２ｃに巻き取られることで、信号ケーブル１１３ａと電源ケーブル１１３ｂが、ＨＤＤ１１３の各コネクタ１１３ｃ、１１３ｄから抜き取られて電気的な接続が分離され、かつ、ストッパ１２ｆが記憶装置保護箱２３の蓋２３ｂから外れて、バネ２３ｄの矢印Ｃ方向の弾性力によって蓋２３ｂが閉結されて強固に密閉され、本動作は完了となる。なお、蓋２３ｂがバネ２３ｄの弾性力で閉まる速さよりも、信号ケーブル１１３ａと電源ケーブル１１３ｂがローラ１２ｃに巻き取られる速さの方が早くなるように構成されている。
【００３９】
これにより、記憶装置保護箱２３に密閉された記憶装置のＨＤＤ１１３は、水害、火災および地震等の災害から保護される。
【００４０】
また、本実施形態の記憶装置の保護装置を備えた複写機１は、停電時には、ユーザの手動操作によって、第３ギア１２ｉに噛み合わされたハンドル（不図示）が利用されて第３ギア１２ｉが矢印Ａ方向に回転されると、上記のステップＳ４−６と同様に各部が可動して、記憶装置保護箱２３の蓋２３ｂが閉結されて強固に密閉される。よって、停電時においても同様に、記憶装置保護箱２３に密閉されたＨＤＤ１１３は、水害、火災および地震等の災害から保護することができる。
【００４１】
従って、本実施形態の記憶装置の保護装置を備えた複写機１であれば、災害からＨＤＤ１１３とともに、ＨＤＤ１１３に記憶されたデータを自動的にあるいは手動操作で保護することが可能となる。
【００４２】
なお、本実施形態の記憶装置の保護装置を備えた複写機１では、記憶装置として、ＨＤＤ１１３を例に挙げて説明したが、所定のケーブルが接続されてデータの記憶を行うことが可能な記憶装置であればよい。例えば、記憶装置は、ＨＤＤ１１３のほかに、ＣＤドライブ、ＤＶＤドライブ[Digital Versatile Disk drive]、フラッシュメモリ等のいずれかが用いられてもよい。
【００４３】
また、ストッパ１２ｆおよび各ケーブルが固定されたローラ１２ｃは、同じ回転軸の第１回転軸１２ａに固着されていたが、異なる回転軸に固着されて、災害時にモータ等の駆動力によりこれらの固着された回転軸が回転されて、記憶装置保護箱２３に収容された記憶装置を災害から保護する構成であってもよい。
【００４４】
また、本発明の構成は、上記実施形態のほか、発明の主旨を逸脱しない範囲で種々変更を加えることが可能である。
【産業上の利用可能性】
【００４５】
本発明は、複写機の他にも、ＨＤＤ等の記憶装置を備えた装置全般に幅広く適用が可能であり、災害時における記憶装置の保護に関して有用な技術である。
【図面の簡単な説明】
【００４６】
【図１】は、本発明に係る複写機の要部構成を示すブロック図である。
【図２】は、本発明に係る複写機の要部構造を模式的に示す縦断面図である。
【図３】は、接続線巻取部および記憶装置保護箱を説明するための図である。
【図４】は、複写機１におけるＨＤＤを記憶装置保護箱に密閉する制御の一例を説明するためのフローチャートである。
【符号の説明】
【００４７】
１    複写機
１０    制御部
１０１    ＨＤＤ制御部
１０２    巻取制御部
１１    記憶部
１１１    ＲＯＭ
１１２    ＲＡＭ
１１３    ＨＤＤ
１１３ａ    信号ケーブル
１１３ｂ    電源ケーブル
１１３ｃ    信号コネクタ
１１３ｄ    電源コネクタ
１２    接続線巻取部
１２ａ    第１回転軸
１２ｂ    第１ギア
１２ｃ    ローラ
１２ｄ    ケーブル固定板
１２ｅ    ネジ
１２ｆ    ストッパ
１２ｇ    第２ギア
１２ｉ    第３ギア
１３    モータ
１４    検知部
１４１    水センサ
１４２    温度センサ
１４３    地震センサ
１５    操作表示部
１５１    保護キー
１６    原稿搬送部
１７    原稿取込部
１８    給紙部
１８１ａ〜１８１ｃ    用紙収納部
１８２    用紙搬送部
１９    画像形成部
２０    定着部
２１    排紙部
２２    電源部
２３    記憶装置保護箱
２３ａ    本体
２３ｂ    蓋
２３ｃ    蝶番
２３ｄ    バネ
２３ｅ、２３ｆ    固定部
【図１】
2007004945.tif 000003
【図２】
2007004945.tif 000004
【図３】
2007004945.tif 000005
【図４】
2007004945.tif 000006